(57)【要約】【課題】設計開発効率の高いアンテナ装置の提供。【解決手段】アンテナ装置１は直流的に分離された第１〜第３アンテナエレメント２〜４と、第１アンテナエレメント２に接続されたＲＦ接続端子５、第２アンテナエレメント３に直流的に接続された第１電源プラス端子６、第３アンテナエレメント４に直流的に接続され、第１電源プラス端子６とは直流的に絶縁された第１電源マイナス端子７とを有し、第２アンテナエレメント３に直流的に接続され、第１電源プラス端子６と直流的に接続される充電用プラス端子８と、第３アンテナエレメント４に直流的に接続され、第１電源マイナス端子７と直流的に接続される充電用マイナス端子９とを備え、第１アンテナエレメント２、第２アンテナエレメント３、第３アンテナエレメント４、ＲＦ接続端子５、第１電源プラス端子６、第１電源マイナス端子７、充電用プラス端子８、充電用マイナス端子９が固定部材１０により固定される。【選択図】図１
2009194427.tif 000002
【特許請求の範囲】
【請求項１】
直流的に分離された少なくとも２つ以上のアンテナエレメントと、
このアンテナエレメントに接続されたＲＦ接続端子と、
前記アンテナエレメントに直流的に接続された第１電源プラス端子と、
前記アンテナエレメントに直流的に接続されると共に、前記第１電源プラス端子とは直流的に絶縁された第１電源マイナス端子と、
前記アンテナエレメントに直流的に接続されると共に、前記第１電源プラス端子と直流的に接続される充電用プラス端子と、
前記アンテナエレメントに直流的に接続されると共に、前記第１電源マイナス端子と直流的に接続される充電用マイナス端子とを備え、
前記アンテナエレメントと、前記ＲＦ接続端子と、前記第１電源プラス端子と、前記第１電源マイナス端子と、前記充電用プラス端子と、前記充電用マイナス端子とが固定部材により固定されているアンテナ装置。
【請求項２】
直流的に分離された少なくとも２つ以上のアンテナエレメントと、
このアンテナエレメントに接続されたＲＦ接続端子と、
前記アンテナエレメントに直流的に接続された第１電源プラス端子と、
前記アンテナエレメントに直流的に接続されると共に、前記第１電源プラス端子とは直流的に絶縁された第１電源マイナス端子と、
前記アンテナエレメントに直流的に接続されると共に、前記第１電源プラス端子と直流的に接続される充電用プラス端子と、
前記アンテナエレメントに直流的に接続されると共に、前記第１電源マイナス端子と直流的に接続される充電用マイナス端子とを備え、
前記第１電源プラス端子又は前記第１電源マイナス端子のうち少なくとも１つの端子には整合回路またはローパスフィルタが接続されるアンテナ装置。
【請求項３】
直流的に分離された少なくとも２つ以上のアンテナエレメントと、
このアンテナエレメントに接続されたＲＦ接続端子と、
前記アンテナエレメントに直流的に接続された第２電源プラス端子と、
前記アンテナエレメントに直流的に接続されると共に、前記第２電源プラス端子とは直流的に絶縁された第２電源マイナス端子と、
前記アンテナエレメントに直流的に接続されると共に、前記第２電源プラス端子と直流的に接続される電池接続用プラス端子と、
前記アンテナエレメントに直流的に接続されると共に、前記第２電源マイナス端子と直流的に接続される電池接続用マイナス端子とを備え、
前記アンテナエレメントと、前記ＲＦ接続端子と、前記第２電源プラス端子と、前記第２電源マイナス端子と、前記電池接続用プラス端子と、前記電池接続用マイナス端子とが固定部材により固定されているアンテナ装置。
【請求項４】
直流的に分離された少なくとも２つ以上のアンテナエレメントと、
このアンテナエレメントに接続されたＲＦ接続端子と、
前記アンテナエレメントに直流的に接続された第２電源プラス端子と、
前記アンテナエレメントに直流的に接続されると共に、前記第２電源プラス端子とは直流的に絶縁された第２電源マイナス端子と、
前記アンテナエレメントに直流的に接続されると共に、前記第２電源プラス端子と直流的に接続される電池接続用プラス端子と、
前記アンテナエレメントに直流的に接続されると共に、前記第２電源マイナス端子と直流的に接続される電池接続用マイナス端子とを備え、
前記第２電源プラス端子又は前記第２電源マイナス端子のうち少なくとも１つの端子には整合回路またはローパスフィルタが接続されるアンテナ装置。
【請求項５】
前記ＲＦ接続端子と前記第１電源プラス端子とは、または、前記ＲＦ接続端子と前記第１電源マイナス端子とは、１つの共用端子で構成される請求項１または請求項２に記載のアンテナ装置。
【請求項６】
前記ＲＦ接続端子と前記第２電源プラス端子とは、または、前記ＲＦ接続端子と前記第２電源マイナス端子とは、１つの共用端子で構成される請求項３または請求項４に記載のアンテナ装置。
【請求項７】
前記充電用プラス端子と前記電池接続用プラス端子とは接続状態を切替えるスイッチ回路を介して直流的に接続された請求項１または請求項２に記載のアンテナ装置。
【請求項８】
前記スイッチ回路はＰＩＮダイオードを有し、
このＰＩＮダイオードのカソード側に前記充電用プラス端子が接続されている請求項７に記載のアンテナ装置。
【請求項９】
請求項１から請求項４のうち１つの請求項、又は請求項７に記載のアンテナ装置と、
このアンテナ装置の有する前記ＲＦ接続端子に接続されるＲＦ回路と、
このＲＦ回路に接続されるベースバンド回路とを備える電子機器。
【発明の詳細な説明】
【技術分野】
【０００１】
本発明は、例えば携帯電話に用いられるアンテナ装置と、このアンテナ装置を用いた電子機器に関するものである。
【背景技術】
【０００２】
例えば、携帯電話に用いられる従来のアンテナ装置は、図９（ａ）、（ｂ）に示すような構成となっている。図９（ａ）、（ｂ）において、従来のアンテナ装置１００は、携帯電話１０１の下部筐体１０２の下部領域に内蔵されている。この従来のアンテナ装置１００に近接して、電池端子ユニット１０３および充電端子ユニット１０４が、携帯電話１０１内に内蔵されている。電池端子ユニット１０３は、バネ状の形状を有した電池接続用プラス端子１０５と、電池接続用マイナス端子１０６と、電池接続用Ｔ端子１０７とを有している。これらのバネ状の端子に接触した構成で、電池１０８が携帯電話１０１内に内蔵されている。便宜上図示していないが、電池１０８を電池端子ユニット１０３に押し付けて固定する事で、電池１０８のプラス電極と電池接続用プラス端子１０５とが、また、電池１０８のマイナス電極と電池接続用マイナス端子１０６とが接触し、更に、電池１０８のＴ電極と電池接続用Ｔ端子１０７とが直流的に接続されることとなる。
【０００３】
充電端子ユニット１０４は、充電用プラス端子１０９と充電用マイナス端子１１０とを有している。充電用プラス端子１０９と充電用マイナス端子１１０とは、携帯電話１０１の外部に面しており、携帯電話１０１を充電器（図示せず）に固定した時に、充電器側のプラス電極と充電用プラス端子１０９とが、また、充電器側のマイナス電極と充電用マイナス端子１１０とが、それぞれ、直流的に接続されることとなる。
【０００４】
電池端子ユニット１０３と充電端子ユニット１０４との電気的接続の様子を図１０に示す。図１０において、電池１０８のプラス電極１１１と電池端子ユニット１０３の電池接続用プラス端子１０５とは直流的に接続されており、電池１０８のマイナス電極１１２と電池端子ユニット１０３の電池接続用マイナス端子１０６とは直流的に接続されており、また、電池１０８のＴ電極１１３と電池端子ユニット１０３の電池接続用Ｔ端子１０７とは直流的に接続されている。更に、電池端子ユニット１０３において、電池接続用プラス端子１０５と第１電源プラス端子１１４とは直流的に接続されており、また、電池接続用マイナス端子１０６と第１電源マイナス端子１１６とは直流的に接続されている。また、電池端子ユニット１０３の第１電源プラス端子１１４と充電端子ユニット１０４の第２電源プラス端子１１５とは直流的に接続されており、電池端子ユニット１０３の第１電源マイナス端子１１６と充電端子ユニット１０４の第２電源マイナス端子１１７とは直流的に接続されている。更に、充電端子ユニット１０４において、第２電源プラス端子１１５と充電用プラス端子１０９とは直流的に接続されており、第２電源マイナス端子１１７と充電用マイナス端子１１０とは直流的に接続されている。携帯電話１０１内の電子回路への電源供給は、第１電源プラス端子１１４、第２電源プラス端子１１５、又はそれらの端子間からプラス電源を引き出すと共に、第１電源マイナス端子１１６、第２電源マイナス端子１１７、又はそれらの端子間からマイナス電源を引き出すことにより行われる。また、電池１０８のＴ電極１１３の信号についても、携帯電話１０１内の回路に供給される事となる。
【０００５】
尚、本出願の発明に関連する先行技術文献情報としては、例えば、特許文献１が知られている。
【特許文献１】特許第３９８４９４１号公報
【発明の開示】
【発明が解決しようとする課題】
【０００６】
上記従来のアンテナ装置１００においては、電池端子ユニット１０３と充電端子ユニット１０４とが近接して配置されるため、アンテナ装置１００とこれらのユニットとが電磁結合してしまい、アンテナ装置１００のアンテナ特性が著しく劣化するという課題があった。このため、アンテナ装置１００を携帯電話内に配置した後、電池端子ユニット１０３と充電端子ユニット１０４との電磁結合の影響を考慮して、アンテナ装置１００のアンテナ形状等を再設計し、アンテナ特性の調整をする必要があった。
【０００７】
そこで本発明は、携帯電話等の電子機器搭載後におけるアンテナ装置の大幅な再設計の必要性を無くし、設計開発効率の高いアンテナ装置を提供することを目的とする。
【課題を解決するための手段】
【０００８】
この目的を達成するために、本発明のアンテナ装置は、直流的に分離された少なくとも２つ以上のアンテナエレメントと、このアンテナエレメントに接続されたＲＦ接続端子と、アンテナエレメントに直流的に接続された第１電源プラス端子と、アンテナエレメントに直流的に接続されると共に、第１電源プラス端子とは直流的に絶縁された第１電源マイナス端子と、アンテナエレメントに直流的に接続されると共に、第１電源プラス端子と直流的に接続される充電用プラス端子と、アンテナエレメントに直流的に接続されると共に、第１電源マイナス端子と直流的に接続される充電用マイナス端子とを備え、アンテナエレメントと、ＲＦ接続端子と、第１電源プラス端子と、第１電源マイナス端子と、充電用プラス端子と、充電用マイナス端子とが固定部材により固定されている構成である。
【発明の効果】
【０００９】
上記構成において、第１電源プラス端子と充電用プラス端子とは、また、第１電源マイナス端子と充電用マイナス端子とは、それぞれアンテナエレメントの一部として積極的に動作した構成となる。また、アンテナエレメントと、ＲＦ接続端子と、第１電源プラス端子と、第１電源マイナス端子と、充電用プラス端子と、充電用マイナス端子とが固定部材により固定されているため、これらの位置関係が、携帯電話へ搭載される前に確定される。これにより、第１電源プラス端子、第１電源マイナス端子、充電用プラス端子、充電用マイナス端子とアンテナエレメントとの電磁界結合の状態が携帯電話へ搭載される前に把握される。よって、これらの状態を考慮して、事前にアンテナエレメントの設計を行うことができる。これにより、携帯電話等の電子機器に本発明のアンテナ装置を搭載した場合、その搭載後に、アンテナエレメント等の大規模な設計変更は不要となる。
【発明を実施するための最良の形態】
【００１０】
（実施の形態１）
以下、本発明の実施の形態１について、図１、図２を用いて説明する。図１は、実施の形態１に係るアンテナ装置の斜視図である。図１において、実施の形態１に係るアンテナ装置１は、直流的に分離された第１アンテナエレメント２、第２アンテナエレメント３、第３アンテナエレメント４と、第１アンテナエレメント２に接続されたＲＦ接続端子５と、第２アンテナエレメント３に直流的に接続された第１電源プラス端子６と、第３アンテナエレメント４に直流的に接続されると共に、第１電源プラス端子６とは直流的に絶縁された第１電源マイナス端子７とを有する。更に、アンテナ装置１は、第２アンテナエレメント３に直流的に接続されると共に、第１電源プラス端子６と直流的に接続される充電用プラス端子８と、第３アンテナエレメント４に直流的に接続されると共に、第１電源マイナス端子７と直流的に接続される充電用マイナス端子９とを備え、第１アンテナエレメント２と、第２アンテナエレメント３と、第３アンテナエレメント４と、ＲＦ接続端子５と、第１電源プラス端子６と、第１電源マイナス端子７と、充電用プラス端子８と、充電用マイナス端子９とは、樹脂等の絶縁材料で構成された固定部材１０により固定されている。このような構成により、第１アンテナエレメント２と、第２アンテナエレメント３と、第３アンテナエレメント４と、ＲＦ接続端子５と、第１電源プラス端子６と、第１電源マイナス端子７と、充電用プラス端子８と、充電用マイナス端子９との位置関係は、固定部材１０により固定される。故に、本実施の形態のアンテナ装置１は、例えば、携帯電話に搭載する前に、第１アンテナエレメント２と第１電源プラス端子６、第１電源マイナス端子７、充電用プラス端子８、充電用マイナス端子９、第２アンテナエレメント３、第３アンテナエレメント４等との間の電磁界結合の状態を確定することができる。よって、これらの状態を考慮して、携帯電話等の電子機器へ搭載する前に、アンテナエレメント等の設計を完了しておけば、携帯電話等の電子機器へ搭載後に、大幅なアンテナエレメント等の設計変更を強いられる事はない。
【００１１】
また、本実施の形態１のアンテナ装置１は、図９に示した従来の充電端子ユニット１０４をアンテナ装置の一部として積極的に動作させる事を特徴とする。つまり、第１電源プラス端子６と充電用プラス端子８と、これらの端子間を接続する第２アンテナエレメント３とが、アンテナ装置の一部として積極的に動作させられ、また、第１電源マイナス端子７と、充電用マイナス端子９と、これらの端子間を接続する第３アンテナエレメント４とが、アンテナ装置の一部として積極的に動作させられている。これにより、従来のアンテナ装置と比較して、アンテナエレメントを等価的に大型化でき、アンテナ装置の広帯域化、放射効率の向上を図ることができる。また、図９のアンテナ装置１００と充電端子ユニット１０４とを１つの部品にて実現できるため、携帯電話等の電子機器への組み込み等が容易になると共に、これらの位置精度も向上する。更に、電子機器の小型化を図ることも可能となる。従来のアンテナ装置の場合、図９の充電端子ユニット１０４とアンテナ装置１０１が別の部品で内蔵されるため、量産時のそれらの位置関係のバラツキがアンテナ特性のバラツキを引き起こすが、本実施の形態１に係るアンテナ装置を用いれば、このような特性バラツキを低減することができる。
【００１２】
図１のアンテナ装置１において、第１電源プラス端子６または第１電源マイナス端子７のうち、少なくとも１つの端子に整合回路を接続しても良い。これにより、アンテナ装置１の設計自由度を向上させられると共に、携帯電話等の電子機器に搭載後に、アンテナ装置１のアンテナ特性の調整が容易にでき、アンテナ装置の設計開発効率を向上させる事ができる。具体的な整合回路の構成の一例を図２に示す。図２において、図１の第１電源プラス端子６と直流的に接続されている第１端子１１と、第１コイル１５と第１コンデンサ１６との並列回路とは、直流的に接続されている。また、第１コイル１５と第１コンデンサ１６との並列回路と、第２端子１２とは、直流的に接続されている。更に、第２端子１２とグランドとの間には、第２コンデンサ１７と第２コイル１８との直列回路が接続されている。一方、図１の第１電源マイナス端子７と直流的に接続されている第３端子１３と、第３コイル１９とは、直流的に接続されている。また、第３端子１３とグランドとの間には、第３コンデンサ２０が接続されている。更に、第３コイル１９と第４端子１４との間には、第４コンデンサ２１と第４コイル２２との並列回路が直流的に接続されている。第２端子１２は、携帯電話等の電子機器の内部部品のプラス電源を供給し、一方、第４端子１４は、携帯電話等の電子機器の内部部品のマイナス電源を供給することとなる。図２からも明らかなように、図２に示した整合回路を設計する上で重要な点は、第１端子１１と第２端子１２との間が直流的に短絡されており、また、第３端子１３と第４端子１４との間が直流的に短絡されている点である。併せて重要な点は、第１端子１１と第２端子１２とが、直流的にグランドに短絡されておらず、また、第３端子１３と第４端子１４とが、直流的にグランドに短絡されていない点である。これは、電源電圧を携帯電話等の電子機器の内部部品へ供給するためである。これらの整合回路を設計する上での重要点を満足する限り、どのような回路構成をとっても良い。このような整合回路を図１の第１電源プラス端子６または第２電源マイナス端子７のうち、少なくとも一方に接続する事により、ＲＦ接続端子５から見たアンテナ装置のインピーダンス特性を最適設計できる。その結果、例えば、マルチバンドで動作するアンテナ装置や、広帯域なアンテナ装置、所望の周波数において減衰特性を有するアンテナ装置等が実現できる。また、上記整合回路を用いる事により、アンテナ装置の放射パターンを最適調整することもできる。
【００１３】
尚、図１に示した実施の形態１においては、３つのアンテナエレメントを用いた例を示したが、アンテナ装置のアンテナエレメントの構成は、例えば、第１アンテナエレメント２と第２アンテナエレメント３とを直流的に接続した構成、または、第１アンテナエレメント２と第３アンテナエレメント４とを直流的に接続した構成としてもよい。これにより、アンテナエレメント長を長くする事が可能となり、より低い周波数で動作可能なアンテナ装置を実現できる。
【００１４】
また、図１において、充電用プラス端子８と充電用マイナス端子９とは、携帯電話の外部に面して、充電器のプラス電極、マイナス電極と接触させる必要があるため、凸形状を有する構成としても良い。これにより、充電用プラス端子８と充電用マイナス端子９とは、充電器のプラス電極とマイナス電極との接触が容易となると共に、凸形状によりアンテナエレメントを大きくできるため、アンテナ装置の放射特性を向上させる事ができる。尚、この凸形状の側面の少なくとも一部には導電材料が配置され、アンテナエレメントと直流的に接続されている。
【００１５】
尚、図１において、第１アンテナエレメント２、第２アンテナエレメント３、第３アンテナエレメント４は、固定部材１０の表面だけに配置されているが、これに限定する必要はなく、固定部材１０の内部に形成しても問題ない。これにより、アンテナエレメント長を長くでき、より低い周波数で機能するアンテナ装置を提供でき、また、マルチバンドで機能するアンテナ装置等を実現することもできる。
【００１６】
また、図１においては、ＲＦ接続端子５、第１電源プラス端子６、第１電源マイナス端子７は、固定部材１０の側面の表面に配置されているが、これに限定する必要は無く、固定部材１０の底面に形成しても、固定部材１０の外側に突出した構成で実現しても問題ない。要は、アンテナ装置と外部回路が接続しやすい構造を有していればよい。
【００１７】
尚、アンテナ装置が受信した高周波信号は、第１電源プラス端子６、第１電源マイナス端子７から、第１電源プラス端子６、第１電源マイナス端子７に接続される携帯電話等の電子機器の内部回路側へ流れ込む。これを阻止するため、第１電源プラス端子６、第１電源マイナス端子７にローパスフィルタが接続された構成としても良い。これにより、携帯電話等の電子機器の内部の電源回路に高周波信号が流れ込む事を防止でき、電子機器の受信特性を向上させる事ができる。但し、上記のローパスフィルタは、直流電流が通過可能である構成とする必要がある。具体的には、図２の説明における整合回路を設計する上での重要点が、ローパスフィルタの設計においても踏襲されている必要がある。
【００１８】
尚、図１においては、充電用プラス端子８と充電用マイナス端子９とは、アンテナ装置の上方に配置されているが、これに限る必要はなく、少なくとも１方の端子がアンテナ装置１の側面、下面に構成されても良い。これにより、本実施の形態１に係るアンテナ装置は、携帯電話等の電子機器の外観デザインに対する制限を無くすることができる。
【００１９】
（実施の形態２）
以下に、本発明の実施の形態２について、図３、図４を用いて説明する。図３は、本発明の実施の形態２におけるアンテナ装置１の斜視図を示している。尚、実施の形態１と同様の構成については、同一符号を付してその説明を省略し、相違点のみについて記述する。図３において、図１に示した実施の形態１のアンテナ装置との相違点は、図１の第１アンテナエレメント２と第２アンテナエレメント３とを直流的に接続されている点と、図１の第１電源プラス端子６とＲＦ接続端子５とが図３の１つの共用端子２３により構成された点である。このような構成を有する事により、実施の形態１のアンテナ装置と同様の効果が得られると共に、更に、端子数を３つから２つへ減らす事ができ、アンテナ装置の構成の簡易化、小型化を図ることができる。また、これにより、携帯電話等の電子機器側とアンテナ装置との固定構造が簡易なものとなる。
【００２０】
図４には、図３の共用端子２３と第１電源マイナス端子７とに接続される整合回路の一例を示す。図４より、図３における第１電源マイナス端子７と直流的に接続されている第５端子２４は、第５コイル２９に直流的に接続されており、更に、第５コイル２９と第６端子２５とは直流的に接続されている。一方、図３における共用端子２３と直流的に接続されている第７端子２６と、第６コイル３０とは、直流的に接続されていると共に、第７端子２６と第５コンデンサ３１とは直流的に接続されている。更に、第６コイル３０と第８端子２７とは直流的に接続されていると共に、第５コンデンサ３１と第９端子２８とは直流的に接続されている。ここで、第６端子２５は、携帯電話等の電子機器内の部品にマイナス電源を供給すると共に、第８端子２７は、携帯電話等の電子機器内の部品にプラス電源を供給する。第７端子２６に入力される高周波信号は、第６コイル３０により大部分が阻止されるため、第８端子２７にはほとんど供給されず、一方、第９端子２８には大部分の高周波信号が供給される事となる。このため、第９端子２８は、携帯電話等の電子機器内の高周波回路に接続される事となる。図４に示すような簡易な回路を接続するだけで、電源と高周波信号とを分離できると共に、第５コイル２９、第６コイル３０、第５コンデンサ３１の素子値により、図３のアンテナ装置１のアンテナ特性を最適調整できるといった有利な効果が得られる。
【００２１】
尚、図３においては、第１アンテナエレメント２と充電用プラス端子８とが直流的に接続された構成を示したが、これに限る必要はなく、第１アンテナエレメント２と充電用マイナス端子９とが直流的に接続された構成としてもよい。このような構成としても、同様の効果が得られる。
【００２２】
（実施の形態３）
以下に、本発明の実施の形態３について、図５を用いて説明する。図５は、本発明の実施の形態３におけるアンテナ装置１の斜視図を示している。尚、実施の形態１と同様の構成については、同一符号を付してその説明を省略し、相違点のみについて記述する。図５において、図１に示した実施の形態１のアンテナ装置との相違点は、図１の固定部材１０が２つに分割され、第１アンテナエレメント２とＲＦ接続端子５とは、第１固定部材３２により固定されており、また、第２アンテナエレメント３、第３アンテナエレメント４、第１電源プラス端子６、第１電源マイナス端子７、充電用プラス端子８、充電用マイナス端子９とは、第２固定部材３３により固定されている点である。また、第１アンテナエレメント２と、第２アンテナエレメント３および第３アンテナエレメント４とは、電磁界結合し易いように、それぞれのアンテナエレメントに電磁結合部３４を設けている。これにより、第１アンテナエレメント２と、第２アンテナエレメント３と、第３アンテナエレメント４とは、一体としてアンテナ動作し、等価的にアンテナサイズを大きくでき、アンテナ装置１の放射特性を向上させられると共に、インピーダンス特性の向上、具体的には広帯域化、マルチバンド化を図ることができる。尚、便宜上、図５においては図示していないが、第１電源プラス端子６または第１電源マイナス端子７のうち、少なくとも１つの端子には、例えば、図２に示したような整合回路が接続されている。これにより、図９に示した充電端子ユニット１０４は積極的にアンテナエレメントの一部として動作され、アンテナ装置１は、広帯域化、マルチバンド化、および放射特性を向上等の有利な効果を得ることができる。また、携帯電話等の電子機器に本実施の形態３にかかるアンテナ装置１を搭載後、アンテナ装置の特性の調整を、上記整合回路において容易に行うことが可能となり、製品開発期間の大幅な短縮および設計開発効率の向上が可能となる。
【００２３】
尚、図５に示した本実施の形態３に係るアンテナ装置１において、電磁結合部３４はそれぞれ対向する形で図示されているが、このような構成に限る必要はなく、それぞれのアンテナエレメント同士が電磁界結合できていれば、図５に示したような電磁結合部３４の構成を取る必要はない。要は、アンテナエレメント間が電磁界結合される構造を各アンテナエレメントが有していればよいということである。これにより、アンテナサイズを等価的に大きくすることが可能となり、アンテナ装置１の放射特性、インピーダンス特性を向上させる事ができる。
【００２４】
（実施の形態４）
以下に、本発明の実施の形態４について、図６を用いて説明する。図６は、本発明の実施の形態４におけるアンテナ装置１の斜視図を示している。図６において、アンテナ装置１は、互いに直流的に分離された第１アンテナエレメント２、第２アンテナエレメント３、第３アンテナエレメント４、第４アンテナエレメント３５と、第１アンテナエレメント２に接続されたＲＦ接続端子５と、第２アンテナエレメント３に直流的に接続された第２電源プラス端子３６と、第３アンテナエレメント３に直流的に接続されると共に、第２電源プラス端子３６とは直流的に絶縁された第２電源マイナス端子３７と、第４アンテナエレメント３５に直流的に接続される電源Ｔ端子３８とを備える。更に、アンテナ装置１は、第２アンテナエレメント３に直流的に接続されると共に、第２電源プラス端子３６と直流的に接続される電池接続用プラス端子３９と、第３アンテナエレメント４に直流的に接続されると共に、第２電源マイナス端子３７と直流的に接続される電池接続用マイナス端子４０と、第４アンテナエレメント３５に直流的に接続されると共に、電源Ｔ端子３８と直流的に接続される電池接続用Ｔ端子４１とを備える。また、アンテナ装置１は、第１アンテナエレメント２と、第２アンテナエレメント３と、第３アンテナエレメント４と、第４アンテナエレメント３５と、ＲＦ接続端子５と、第２電源プラス端子３６と、第２電源マイナス端子３７と、電池接続用プラス端子３９と、電池接続用マイナス端子４０と、電池接続用Ｔ端子４１とは、固定部材１０により固定されている。実施の形態４に係るアンテナ装置１は、図９に示した従来のアンテナ装置１００における電池端子ユニット１０３を積極的にアンテナとして動作させたものである。これにより、アンテナサイズを等価的に大きくすることが可能となり、アンテナ装置１の放射特性およびインピーダンス特性を向上させる事ができる。また、第１アンテナエレメント２と、第２アンテナエレメント３と、第３アンテナエレメント４と、第４アンテナエレメント３５と、ＲＦ接続端子５と、第２電源プラス端子３６と、第２電源マイナス端子３７と、電池接続用プラス端子３９と、電池接続用マイナス端子４０と、電池接続用Ｔ端子４１とが固定部材１０により固定されているため、これらの位置関係が、携帯電話へ搭載される前に確定される。よって、第２電源プラス端子３６、第２電源マイナス端子３７、電源Ｔ端子３８、電池接続用プラス端子３９、電池接続用マイナス端子４０、電池接続用Ｔ端子４１と、各アンテナエレメントとの電磁結合の状態が事前に確定されるため、これを考慮して、事前に各アンテナエレメント等の設計を行うことができる。よって、携帯電話等の電子機器に本実施の形態４のアンテナ装置１を搭載した場合、その搭載後に、アンテナエレメント等の大幅な設計変更は不要となり、開発設計効率を向上させる事ができる。
【００２５】
尚、図６に示したように、固定部材１０の内部には、中空部が設けられていてもよい。これにより、固定部材１０による放射特性の劣化を軽減できると共に、アンテナ装置１の軽量化が図れる。
【００２６】
また、特許請求の範囲における「固定部材により固定されている」の記載は、各端子等が固定部材１０により直接的に固定される構成だけを意味しているのではなく、例えば、図６に示す電池接続用プラス端子３９、電池接続用マイナス端子４０、電池接続用Ｔ端子４１のように、各アンテナエレメント又は第２電源プラス端子３６等の端子を介して間接的に固定される構成をも含むものである。
【００２７】
更に、上記の実施の形態の場合と同様に、電池接続用プラス端子３９、電池接続用マイナス端子４０、電池接続用Ｔ端子４１に、整合回路またはローパスフィルタが接続された構成としても良い。これにより上記の実施の形態１から３の場合と同様の効果が得られる。
【００２８】
また、上記の実施の形態１から３の場合と同様に、第１アンテナエレメント２と、第２アンテナエレメント３、第３アンテナエレメント４、第４アンテナエレメント３５のうちのいずれか１つのアンテナエレメントとを直流的に接続させて、等価的にアンテナエレメントのサイズを大きくすると共に、端子数を１つ減らす構成としても良い。これによりアンテナ装置１の放射特性及びインピーダンス特性を向上させられると共に、アンテナ装置１の構造を簡略化できる。
【００２９】
（実施の形態５）
以下、本発明の実施の形態５について、図７を用いて説明する。図７は、本発明の実施の形態５に係るアンテナ装置１の斜視図を示している。尚、実施の形態４と同様の構成については、同一符号を付してその説明を省略し、相違点のみについて記述する。図７において、図６に示した実施の形態４のアンテナ装置との相違点は、第１アンテナエレメント２と共用端子２３とに直流的に接続された充電用プラス端子６が接続されている点と、充電用マイナス端子７が直流的に接続された第５アンテナエレメント４２がアンテナ装置１の一部として構成されている点である。また、便宜上、図示していないが、共用端子２３には、図４に示した高周波信号と電源とを分離する回路が接続される。また、便宜上、図示していないが、図７の各端子と、各アンテナエレメントとは、図１０に示した状態で接続されている。本発明の実施の形態５に係るアンテナ装置１は、図９の従来の電池端子ユニット１０３と充電端子ユニット１０４とを積極的にアンテナの一部として動作させたものである。これにより、従来のアンテナ装置１００と電池端子ユニット１０３と充電端子ユニット１０４との合計の容積は縮小できると共に、３つの部品が１つに部品で提供できるため、携帯電話等の電子機器に組み込む作業が簡易になる。また、電子機器内での固定方法を簡易化できる。更に、従来は、電子機器内で、アンテナ装置１００と電池端子ユニット１０３と充電端子ユニット１０４との位置がばらつく事により、アンテナ特性がばらつくといった課題があったが、本実施の形態５に係るアンテナ装置１を用いることにより、このような課題を克服する事が可能となる。また、従来の電池端子ユニット１０３と充電端子ユニット１０４とを積極的にアンテナとして動作させる事により、アンテナサイズを等価的に大きくすることが可能となり、アンテナ装置１の放射特性、インピーダンス特性を向上させる事ができる。
【００３０】
尚、図７においては、固定部材１０により１つの部品として固定されたアンテナ装置を示したが、実施の形態３に示したように固定部材１０を複数に分けた構成としても良い。具体的には、例えば、第１アンテナエレメント２と、それに直流的に接続された端子等とを第１固定部材により固定し、第２アンテナエレメント３および第３アンテナエレメント４と、それらに直流的に接続された端子等とを第２固定部材により固定し、第４アンテナエレメント３５および第５アンテナエレメント４２と、それらに直流的に接続された端子等とを第３固定部材により固定することとしてもよい。固定部材の個数、及びどの固定部材により何を固定するかは、電子機器に組み込んだときの状態、及びアンテナ装置の放射特性、インピーダンス特性等を考慮し、最適な形態となるように選択すればよい。これにより、電子機器の設計自由度が向上すると共に、アンテナ装置１の放射特性、インピーダンス特性をも向上させることができる。また、この場合、第１電源プラス端子６、第１電源マイナス端子７、第２電源プラス端子３６、第２電源マイナス端子３７、共用端子２３のうち少なくとも１つの端子には、図２又は図４に示したような整合回路が接続されている必要がある。
【００３１】
尚、本発明のアンテナ装置１を用いた電子機器（図示せず）は、アンテナ装置１のＲＦ接続端子５に接続されるＲＦ（Ｒａｄｉｏ  Ｆｒｅｑｕｅｎｃｙ）回路（図示せず）と、このＲＦ回路に接続されるベースバンド回路（図示せず）とを備えている。ここで、ＲＦ回路とは、数ｋＨｚ以上の周波数の信号を増幅、減衰、フィルタリング、周波数変換等する回路を意味し、例えば、フィルタや増幅器、混合器等を含む回路を指す。また、ベースバンド回路とは、変調された信号を復調し、データを復元する回路を意味する。
【００３２】
（実施の形態６）
以下、本発明の実施の形態６について、図８を用いて説明する。図８は、本発明の実施の形態６に係るアンテナ装置１の各部位の接続状態の一例を示す図である。図８において、充電端子ユニット４５は、充電用プラス端子８と共用端子２３とが直流的に接続された第１アンテナエレメント２と、第１アンテナエレメント２と直流的に絶縁されると共に充電用マイナス端子９と第１電源マイナス端子７とが直流的に接続された第２アンテナエレメント３とを有する。また、電池４３は、電池接続用プラス端子３９と直流的に接続される電池のプラス電極４６と、電池接続用マイナス端子４０と直流的に接続される電池のマイナス電極４７と、電池接続用Ｔ端子４１と直流的に接続される電池のＴ電極４８とを有している。更に、電池端子ユニット４４は、電池接続用プラス端子３９と直流的に接続された第２電源プラス端子３６と、電池接続用マイナス端子４０と直流的に接続されている第２電源マイナス端子３７と、電池接続用Ｔ端子４１と直流的に接続されている電源Ｔ端子３８とを有している。また、ＰＩＮダイオード４２が、共用端子２３と第２電源プラス端子３６との間に、カソード側を共用端子２３側に向けて接続される。アンテナ装置１で受信された無線信号は、共用端子２３から第１回路４９を介して電子機器内のＲＦ回路（図示せず）に送られる（送信時はその逆）。第１回路４９は、直流電流がＲＦ回路へ流れ出して行かない様に、直列に直流カット用コンデンサを有している。また、携帯電話等の電子機器を充電器に固定していない場合には、充電用プラス端子８には高い電圧が印加されないため、ＰＩＮダイオード４２がＯＮ状態にならない。これにより、アンテナ装置で受信された信号が、ＰＩＮダイオード４２を介して電池４３へ流れていくことを抑制できる。よって、高周波信号のロスが比較的大きい電池により、放射効率が劣化される事を防止できる。尚、携帯電話等の電子機器が充電器（図示せず）に固定された場合には、充電用プラス端子８および充電用マイナス端子９が、充電器（図示せず）の充電用プラス電極（図示せず）、充電用マイナス電極（図示せず）にそれぞれ接触し、充電用プラス端子８には高い電圧が印加されるため、ＰＩＮダイオード４２はＯＮ状態となり、電池４３へ電源が供給される。これにより、電子機器が充電器に固定されているか否かにより、アンテナ装置の状態を変化させる事ができる。
【００３３】
尚、マイナス電源は第２回路５０を介して、プラス電源は第３回路５１を介して、電池のＴ端子信号は第４回路５２を介して、それぞれ携帯電話等の電子機器内の回路へ供給される。ここで、第２回路５０、第３回路５１、第４回路５２には、アンテナ装置１のアンテナ特性を調整するための整合回路を採用しても良いし、受信信号等の高周波信号を除去するためのローパスフィルタを採用してもよい。
【００３４】
また、図８においては、電池端子ユニット４４と充電端子ユニット４５とを別ユニットで構成したが、これに限る必要はなく、それらを固定部材で固定し、固定部材の表面または内側にＰＩＮダイオード４２を配置した構成としても良い。これにより小型化を図ることができる。
【００３５】
更に、図８においては、ＰＩＮダイオードを用いたが、接続状態を変化できるのであれば他の種類のスイッチ回路を用いても良い。また、電子機器内のマイコン等により、スイッチの状態が切替えられる構成としても良い。スイッチ回路の接続状態を変化させる事により、実施の形態６のアンテナ装置は、その放射特性、インピーダンス特性を大きく変化させる事ができる。
【００３６】
尚、上記実施の形態１〜６で説明した固定部材の内部には、中空部が設けられていてもよい。これにより、固定部材による放射特性の劣化を軽減できると共に、アンテナ装置１の軽量化が図れる。
【００３７】
また、特許請求の範囲における「固定部材により固定されている」の記載は、各端子等が固定部材により直接的に固定される構成だけを意味しているのではなく、例えば、図６に示す電池接続用プラス端子３９、電池接続用マイナス端子４０、電池接続用Ｔ端子４１のように、各アンテナエレメント又は第２電源プラス端子３６等の端子を介して間接的に固定部材１に固定される構成をも含むものである。
【００３８】
尚、上記実施の形態１〜６で説明した第１電源プラス端子６、第１電源マイナス端子７、第２電源プラス端子３６、第２電源マイナス端子３７は、アンテナ装置１を高周波基板等の基板に実装する上での半田付け用端子として利用されてもよい。
【産業上の利用可能性】
【００３９】
以上のように、本発明は、例えば携帯電話等の携帯用電子機器において、開発効率に優れ、放射特性、インピーダンス特性の良好なアンテナ装置を提供することができる。
【図面の簡単な説明】
【００４０】
【図１】本発明のアンテナ装置の斜視図
【図２】電源プラス端子および電源マイナス端子に接続される整合回路の回路図
【図３】本発明のアンテナ装置の斜視図
【図４】電源マイナス端子および共用端子に接続される整合回路の回路図
【図５】本発明のアンテナ装置の斜視図
【図６】本発明のアンテナ装置の斜視図
【図７】本発明のアンテナ装置の斜視図
【図８】本発明のアンテナ装置の接続状態を示す図
【図９】（ａ）従来のアンテナ装置の上方透視図（ｂ）従来のアンテナ装置の側方透視図
【図１０】各端子の接続状態を示す図
【符号の説明】
【００４１】
１  アンテナ装置
２  第１アンテナエレメント
３  第２アンテナエレメント
４  第３アンテナエレメント
５  ＲＦ接続端子
６  第１電源プラス端子
７  第１電源マイナス端子
８  充電用プラス端子
９  充電用マイナス端子
１０  固定部材
２３  共用端子
３４  電磁結合部
３５  第４アンテナエレメント
３６  第２電源プラス端子
３７  第２電源マイナス端子
３８  電源Ｔ端子
３９  電池接続用プラス端子
４０  電池接続用マイナス端子
４１  電池接続用Ｔ端子
４２  第５アンテナエレメント
４３  電池
４４  電池端子ユニット
４５  充電端子ユニット
４６  電池のプラス電極
４７  電池のマイナス電極
４８  電池のＴ電極
【図１】
2009194427.tif 000003
【図２】
2009194427.tif 000004
【図３】
2009194427.tif 000005
【図４】
2009194427.tif 000006
【図５】
2009194427.tif 000007
【図６】
2009194427.tif 000008
【図７】
2009194427.tif 000009
【図８】
2009194427.tif 000010
【図９】
2009194427.tif 000011
【図１０】
2009194427.tif 000012